(57)【要約】【課題】  本発明は、パーソナルコンピュータ及び消費者オーディオビジュアル機器と互換性のあるマルチメディアディスクを生成する方法を提供することを目的とする。【解決手段】  マルチメディアディスクを生成する方法である。方法は、複数のディジタル静止画像にアクセスする段階と、複数のディジタル静止画像のうちの少なくとも１つを含む単一のＭＰＥＧビットストリームを発生する段階と、複数のディジタル静止画像のうちの少なくとも１つにアクセスする段階と、ＭＰＥＧビットストリーム及び複数のディジタル静止画像のうちの少なくとも１つを含むファイル構造を定義する記述ファイルを作成する段階と、マルチメディアディスクのディスク画像を生成するよう記述ファイルを解釈する段階と、ディスク画像を用いてマルチメディアディスクを生成する段階とを有する。【選択図】  図１
2004297804.tif 000002
【特許請求の範囲】
【請求項１】
複数のディジタル静止画像にアクセスする段階と、
前記複数のディジタル静止画像のうちの少なくとも１つを含む単一のＭＰＥＧビットストリームを発生する段階と、
前記複数のディジタル静止画像のうちの少なくとも１つにアクセスする段階と、
前記ＭＰＥＧビットストリーム及び前記複数のディジタル静止画像のうちの少なくとも１つを含むファイル構造を定義する記述ファイルを作成する段階と、
マルチメディアディスクのディスク画像を生成するよう前記記述ファイルを解釈する段階と、
前記ディスク画像を用いて前記マルチメディアディスクを生成する段階とを有する、
マルチメディアディスクを生成する方法。
【請求項２】
複数のディジタル静止画像にアクセスする段階と、
前記複数のディジタル静止画像のうちの少なくとも１つを含む単一のＭＰＥＧビットストリームを発生する段階と、
前記複数のディジタル静止画像のうちの少なくとも１つにアクセスする段階と、
画像処理・描出ソフトウエアアプリケーションに従って前記複数のディジタル静止画像のうちの少なくとも１つをＪＰＥＧ画像としてフォーマットする段階と、
前記画像処理・描出ソフトウエアアプリケーション、前記ＭＰＥＧビットストリーム及び前記ＪＰＥＧ画像を含むファイル構造を定義する記述ファイルを作成する段階と、
マルチメディアディスクのディスク画像を生成するよう前記記述ファイルを解釈する段階と、
前記ディスク画像を用いて前記マルチメディアディスクを生成する段階とを有する、
マルチメディアディスクを生成する方法。
【請求項３】
複数のディジタル静止画像にアクセスする段階と、
前記複数のディジタル静止画像のうちの第１のディジタル静止画像を含む第１のＭＰＥＧビットストリームを発生する段階と、
第１の画像位置を前記第１のＭＰＥＧビットストリームに関連付ける段階と、
前記複数のディジタル静止画像のうちの第２のディジタル静止画像を含む第２のＭＰＥＧビットストリームを発生する段階と、
第２の画像位置を前記第２のＭＰＥＧビットストリームに関連付ける段階と、
ユーザがアルバムオプションを選択するための選択手段を与える段階と、
前記複数のディジタル静止画像のうちの第１のディジタル静止画像にアクセスするために前記第１のＭＰＥＧビットストリームに関連する前記第１の画像位置にアクセスする段階と、
前記複数のディジタル静止画像のうちの第２のディジタル静止画像にアクセスするために前記第２のＭＰＥＧビットストリームに関連する前記第２の画像位置にアクセスする段階と、
第１及び第２のＪＰＥＧ画像を夫々作成するよう画像処理・描出ソフトウエアアプリケーションに従って前記複数のディジタル静止画像のうちの第１のディジタル静止画像及び第２のディジタル静止画像をフォーマットする段階と、
前記第１及び第２のＭＰＥＧビットストリーム、前記第１及び第２のＪＰＥＧ画像、並びに、画像処理・描出ソフトウエアアプリケーションを含むファイル構造を定義する記述ファイルを作成する段階と、
マルチメディアディスクのディスク画像を生成するよう前記記述ファイルを解釈する段階と、
前記ディスク画像を用いて前記マルチメディアディスクを生成する段階とを有する、
マルチメディアディスクを生成する方法。
【発明の詳細な説明】
【技術分野】
【０００１】
本発明は、概して、マルチメディア利用可能なディスクのオーサリングに関する。
【背景技術】
【０００２】
ディジタルカメラの利用は、近年増加している。従って、商用及び消費者が持つディジタル画像ファイルの量もまた増えている。写真がバラバラに入っている靴の箱でいっぱいになった押し入れの問題のように、ディジタル環境では、ランダムに格納されたディジタル画像でいっぱいのコンピュータ上の「靴の箱」がある。これは、特にグラフィック画像のディジタルファイル、即ちディジタルグラフィックファイルであるディジタルファイルの場所を見つけ分類するときに問題を生じさせる。
【０００３】
従来の写真アルバムは、写真プリント（印画）を格納する。これらの写真プリントは、アルバム中に配置され、しばしば、写真写真プリントに関する詳しい情報を見分けるために注釈が付される。電子写真アルバムは、従来の写真アルバムと同様にディジタルグラフィック画像を格納しうる。イーストマン・コダック社は、ユーザがディジタルグラフィック画像をアルバムページへと整理することを可能とするＫｏｄａｋ  Ｐｉｔｕｒｅ  ＰａｇｅやＫｏｄａｋ  Ｍｅｍｏｒｙ  Ａｌｂｕｍソフトウエア等のディジタルグラフィックアルバムアプリケーションを開発した。ユーザは、例えば、日付、時間、場所、又は被写体等の様々な手段で画像を整理しうる。ソフトウエアは、ディジタルグラフィック画像を記述するテキスト又は他の情報を入力することによってユーザがディジタルグラフィック画像に注釈を付すことを許してもよい。
【０００４】
電子写真アルバムは、電子写真アルバムの所有者／ユーザ以外の多くのソースからのディジタルグラフィック画像を含みうる。例えば、ディジタルグラフィック画像は、ディジタルカメラで撮影されたものであってもよく、又は、スキャンされディジタル形式へ変換された写真プリントであってもよい。或いは、ディジタルグラフィック画像は、例えばグラフィックソフトウエアプログラム又は写真編集ソフトウエアプログラムで電子的に作成されてもよい。ディジタルグラフィック画像には個人的な源と、例えばストック写真業者やインターネット等の共用写真リソースといった市販の源がある。ディジタルグラフィック画像は、インターネットを通じてアクセス可能とされ、パーソナルコンピュータへダウンロードされ、ディジタルグラフィックアルバム内に配置されうる。マルチメディア・ディジタルグラフィックアルバムは、１つのディジタルグラフィックアルバム中に、ディジタル静止画像、コンピュータで発生したグラフィック、並びに、ビデオクリップ、オーディオクリップ、及び音声注釈といったアイテムを含みうる。
【０００５】
アルバムが一般向けの市販の消費者機器を用いてみることができ、また、消費者オーディオビジュアル機器及びコンピュータを含む様々な消費者機器上で再生されうるよう、ディジタルグラフィックアルバムを、例えばマルチメディア対応ディスクといった他のディジタル媒体へ転送することが所望でありうる。
【０００６】
マルチメディアオーサリングについては幾つかの方法が開示されており、例えば、マルチメディアアートのオーサリング中に画面上の対象を操作するオーサリングツールに関する特許文献１、インタラクティブなマルチメディアアプリケーションをオーサリングするシステムに関する特許文献３、並びに、マルチメディア文書の自動一時フォーマットのためのシステムに関する特許文献２がある。しかしながら、これらの参考文献は、マルチメディアディジタルグラフィックアルバムのオーサリングに関するものではない。
【０００７】
マルチメディアオーサリングのためにパーソナルコンピュータに対してソフトウエアアプリケーションが利用可能である。例えば、Ｕｌｅａｄシステムス社によって提供されるＵｌｅａｄ  Ｖｉｄｅｏ  Ｓｔｕｄｉｏ  Ｖ５．０は、ｗｗｗ．ｕｌｅａｄ．ｃｏｍに記載されている。
【０００８】
しかしながら、パーソナルコンピュータ及び消費者オーディオビジュアル機器と互換性のあるマルチメディアディスクを生成する方法はなお必要とされている。それ自体として、マルチメディアディスクは様々なシステムを用いてアクセスされうる。また、ＰＣベースのソフトウエアアプリケーション及び／又はＰＣに対して互換性のあるディジタル画像を含みうる、様々な消費者機器上で再生されうるマルチメディア・ディジタルグラフィックアルバムを有するマルチメディア対応ディスクをオーサリングする方法に対する必要性がなお存在する。
【０００９】
本発明は、パーソナルコンピュータ及び消費者オーディオビジュアル機器と互換性があるマルチメディアディスクを発生する方法であって、それによりマルチメディアディスクが様々なシステムを用いてアクセスされうる方法を提供する。方法は、ＰＣベースのソフトウエアアプリケーション及び／又はＰＣに対して互換性のあるディジタル画像を含みうる、様々な消費者機器上で再生されうるマルチメディアディジタルグラフィックアルバムを有するマルチメディア対応ディスクのオーサリングを提供する。
【特許文献１】米国特許第５，５９２，６０２号明細書
【特許文献２】米国特許第５，５１５，４９０号明細書
【特許文献３】米国特許第５，９０７，７０４号明細書
【特許文献４】米国特許出願公開第２００３／０００７７８４号明細書
【特許文献５】欧州特許出願公開第１０４１５５６号明細書
【特許文献６】国際公開第０１／４５１０２号パンフレット
【非特許文献１】スー・チャステイン（Ｓｕｅ  Ｃｈａｓｔａｉｎ）著、「Ｇｒａｐｈｉｃｓ  Ｓｏｆｔｗａｒｅ．．．」Ｉｎｔｅｒｎｅｔ  Ｃｉｔａｔｉｏｎ’Ｏｎｌｉｎｅ！  ２００１年４月１日（２０００年４月１日）、第１−８頁、ＸＰ００２２４６５６２、インターネット  ＜ＵＲＬ：／／ｇｒａｐｈｉｃｓｓｏｆｔ．ａｂｏｕｔ．ｃｏｍ／ｌｉｂｒａｒｙ／ｗｅｅｋｌｙ／ｍｐｒｅｖ００．ｈｔｍ＞
【非特許文献２】ウォルフガング・ファステンラス（Ｗｏｌｆｇａｎｇ  Ｆａｓｔｅｎｒａｔｈ）著、「Ｔｅｕｒｅ  Ｆｒｅｉｈｅｉｔ」、Ｐｈｏｔｏ−ＣＤ  Ｐｒｏｄｕｋｔｉｏｎ  Ｓｏｆｔｗａｒｅ  Ｋｏｄａｋ  Ｂｕｉｌｄ−Ｉｔ  第６巻、１９９６年、第２５０−２５１頁、ＸＰ００２２４６６５６３
【非特許文献３】ダズル（Ｄａｚｚｌｅ）＊「Ｏｎ  ＤＶＤ−Ｃｒｆｅａｔｅ  Ｐｈｏｔｏ  Ｓｌｉｄｅｄｓｈｏｗｓ  ｆｏｒ  Ｙｏｕｒ  ＤＶＤ  Ｐｌａｙｅｒ，  Ｉｎｔｅｒｎｅｔ  Ｃｉｔａｔｉｏｎ，  ２００２年２月１９日、ＤＯ００２２４６５６４、インターネット  ＜ＵＲＬ：ｈｔｔｐ：／／ｗｗｗ．ｄａｚｚｌｅ．ｃｏｍ＞
【発明の開示】
【発明が解決しようとする課題】
【００１０】
本発明は、マルチメディアディスクを生成する方法を提供することを目的とする。本発明の他の目的は、ディスクがパーソナルコンピュータ及び消費者オーディオビジュアル機器と互換性のある方法を提供することを目的とする。本発明は、ディスクがＰＣベースのソフトウエアアプリケーション及び／又はＰＣに対して互換性のあるディジタル画像を含みうる、様々な消費者機器上で再生されうるマルチメディアディジタルグラフィックアルバムを有する方法を提供することを目的とする。
【００１１】
これらの目的は、例としてのみ記載されたものであって、かかる目的は、本発明の１つ又はそれ以上の実施例を例示するものでありうる。開示される発明によって本質的に達成される他の所望の目的及び利点は、当業者によってなされ、明らかとなろう。本発明は、特許請求の範囲によって定義される。
【課題を解決するための手段】
【００１２】
本発明の１つの面によれば、マルチメディアディスクを生成する方法が提供される。方法は、複数のディジタル静止画像にアクセスする段階と、複数のディジタル静止画像のうちの少なくとも１つを含む単一のＭＰＥＧビットストリームを発生する段階と、複数のディジタル静止画像のうちの少なくとも１つにアクセスする段階と、ＭＰＥＧビットストリーム及び複数のディジタル静止画像のうちの少なくとも１つを含むファイル構造を定義する記述ファイルを作成する段階と、マルチメディアディスクのディスク画像を生成するよう記述ファイルを解釈する段階と、ディスク画像を用いてマルチメディアディスクを生成する段階とを有する。
【００１３】
本発明の他の面によれば、マルチメディアディスクを生成する方法が提供される。方法は、複数のディジタル静止画像にアクセスする段階と、複数のディジタル静止画像のうちの少なくとも１つを含む単一のＭＰＥＧビットストリームを発生する段階と、複数のディジタル静止画像のうちの少なくとも１つにアクセスする段階と、画像処理・描出ソフトウエアアプリケーションに従って複数のディジタル静止画像のうちの少なくとも１つをＪＰＥＧ画像としてフォーマットする段階と、画像処理・描出ソフトウエアアプリケーション、ＭＰＥＧビットストリーム及びＪＰＥＧ画像を含むファイル構造を定義する記述ファイルを作成する段階と、マルチメディアディスクのディスク画像を生成するよう記述ファイルを解釈する段階と、ディスク画像を用いてマルチメディアディスクを生成する段階とを有する。
【００１４】
本発明の更なる面によれば、マルチメディアディスクを生成する方法が提供される。方法は、複数のディジタル静止画像にアクセスする段階と、複数のディジタル静止画像のうちの第１のディジタル静止画像を含む第１のＭＰＥＧビットストリームを発生する段階と、第１の画像位置を第１のＭＰＥＧビットストリームに関連付ける段階と、複数のディジタル静止画像のうちの第２のディジタル静止画像を含む第２のＭＰＥＧビットストリームを発生する段階と、第２の画像位置を第２のＭＰＥＧビットストリームに関連付ける段階と、ユーザがアルバムオプションを選択するための選択手段を与える段階と、複数のディジタル静止画像のうちの第１のディジタル静止画像にアクセスするために第１のＭＰＥＧビットストリームに関連する第１の画像位置にアクセスする段階と、複数のディジタル静止画像のうちの第２のディジタル静止画像にアクセスするために第２のＭＰＥＧビットストリームに関連する第２の画像位置にアクセスする段階と、第１及び第２のＪＰＥＧ画像を夫々作成するよう画像処理・描出ソフトウエアアプリケーションに従って複数のディジタル静止画像のうちの第１のディジタル静止画像及び第２のディジタル静止画像をフォーマットする段階と、第１及び第２のＭＰＥＧビットストリーム、第１及び第２のＪＰＥＧ画像、並びに、画像処理・描出ソフトウエアアプリケーションを含むファイル構造を定義する記述ファイルを作成する段階と、マルチメディアディスクのディスク画像を生成するよう記述ファイルを解釈する段階と、ディスク画像を用いてマルチメディアディスクを生成する段階とを有する。
【発明を実施するための最良の形態】
【００１５】
本発明の上述及び他の目的、特徴、及び利点は、添付の図面に示されるような本発明の望ましい実施例のより具体的な説明により明らかとなろう。以下、本発明の望ましい実施例について図面を参照して詳述する。幾つかの図において、同じ参照番号は構造の同じ要素を識別する。
【００１６】
ここに参照として組み入れられるルイ（Ｌｏｕｉ）外による２００１年６月２０日出願の「ＳＹＳＴＥＭ  ＡＮＤ  ＭＥＴＨＯＤ  ＦＯＲ  ＡＵＴＨＯＲＩＮＧ  Ａ  ＭＵＬＴＩＭＥＤＩＡ  ＥＮＡＢＬＥＤ  ＤＩＳＣ」なる名称の共通に譲渡された米国特許出願第０９／８８５，２７７号明細書を参照されたい。
【００１７】
「マルチメディア」の語は、幾つかのメディアが包含又は関連することを意味する。望ましくは、メディアは、ディジタルグラフィックアルバムを発生するのに用いられる。マルチメディア素材は、充実した十分なコンテキスト及び表現を与え、見られているときに、見ている人の楽しみを広げるよう、複数のメディア素材を有する。このようなマルチメディア素材は、画像、オーディオ、ビデオ、及びそれらの任意の組合せを含みうるがこれらに限られるものではない。
【００１８】
本発明は、コンピュータに基づくコンテンツ（例えばパーソナルコンピュータ）を有するマルチメディア対応ディスク、並びに、マルチメディアディジタルグラフィックアルバムをオーサリングする方法を提供する。例えば、ディスクのコンピュータに基づくコンテンツは、アルバムの元の画像／ビデオ／オーディオ（即ち、アルバムの元のコンテンツ）を含みうる。元のコンテンツがアルバムと同じディスク上に配置されているとき、元のコンテンツは、容易に共有され、転送され、見られ、印刷され、電子メールで伝送され、及び／又は、ウェブサイト内で使用されうる。例として、消費者機器上でアルバムを見た後、見る人は、アルバム中で見られる画像のうちの１つのプリントを取得しようと望むことがある。元のコンテンツがディスク上に配置されていれば、見る人は、パーソナルコンピュータ上でディスクを用いることによって所望の画像を容易に取得しうる。
【００１９】
更に、コンピュータに基づくコンテンツは、ソフトウエアアプリケーションでありうる。望ましい実施例では、ソフトウエアアプリケーションプログラムは、例えばイーストマン・コダック社から市販されているＫｏｄａｋ  Ｐｉｃｔｕｒｅ  ＣＤといった画像処理・描出（ｉｍａｇｅ  ｐｒｏｃｅｓｓｉｎｇ  ａｎｄ  ｒｅｎｄｅｒｉｎｇ）ソフトウエアアプリケーションである。ソフトウエアアプリケーションの包含は、ユーザが、自分のパーソナルコンピュータを用いて、また、テレビジョンを用いて、ディスク上に配置された画像を見ることを可能とする。ユーザは、画像を編集及び／又は強調するため、画像を転送するため（例えば電子メール）、画像を印刷するため等にパーソナルコンピュータを使用しうる。印刷は、ホームコンピュータを用いてユーザの自宅で、又は、例えばコダック社の傘下のＯｆｏｔｏ社等のオンラインサービスによって遠隔場所で行われうる。
【００２０】
図１は、本発明による方法を行うのに適したシステム１０を示す図である。システム１０は、処理ユニット１１と、ユーザとの通信用の入力装置１２とを有する。望ましくは、入力装置１２は、タッチスクリーンインタフェースを有する画面又はモニタであるが、或いは、ユーザによってキーボード１４又は他の入力装置（例えばマウス又はトラックボール）が使用されうる。システム１０は、スタンドアロン型システム又はネットワーク接続されたもの１３でありうる。更に、システムは、家庭内に配置されてもよく、小売店、専門写真スタジオ、又は他の営業場所等の家庭外に配置されてもよい。家庭内に配置される場合、システム１０は家庭用パーソナルコンピュータから構成されうる。家庭の外に配置される場合、システム１０は、Ｋｏｄａｋ  Ｐｉｃｔｕｒｅ  Ｍａｋｅｒ（イーストマン・コダック社から市販）等のキオスクから構成されうる。ネットワーク接続される場合、接続は、処理ユニット１１の中又は外に配置されうる。インターネット１５への接続は、例えばＫｏｄａｋ  Ｐｉｃｔｕｒｅ  Ｍａｋｅｒといった写真仕上げ装置又はキオスク等の他のシステム１９への接続と同様に望ましいものでありうる。
【００２１】
マルチメディア素材は、ディジタル画像、オーディオ、及びビデオを、単独で、或いは、任意の組合せで含みうる。従って、システム１０は、ディジタル画像、オーディオ、及びビデオを提供／取得するよう入力ポート１６を含みうる。入力ポート１６の例は、ＣＤドライブ、ＤＶＤ−ＲＯＭドライブ、フラッシュカード又はメモリカードリーダ、フレキシブルディスクドライブ、マイクロホン等を含む。システム１０は更に、マルチメディア対応ディスクの作成用にＣＤ／ＤＶＤライタといった記録可能な光ディスクを生成するメディア作成装置１７を含む。
【００２２】
システム１０は、図１中に画像１８として表わされている様々な源からの画像へアクセスするよう構成される。かかる画像は、ディジタルカメラで撮影されたもの、即ちディジタル静止画像でありうる。或いは、ディジタル静止画像は、画像が印刷され、スキャンされ、ディジタル形式へ変換された写真フィルムで撮影されたものから取得されてもよい。このようなディジタル静止画像は、フレキシブルディスク、コンパクトディスク、メモリカード、又はフラッシュカード上に格納されうる。従って、システム１０は、入力ポート１６を、ディジタル静止画像を入力する手段として使用しうる。システム１０の画像１８は、例えば、結婚式、誕生会、子供の誕生、卒業式のシーン等のテーマ毎の画像から構成される画像データベースを含みうる。データベースはまた、例えば、人気のある観光地、国定史跡、国立公園、歴史的に有名な場所等の地域的な関心となる画像を含みうる。更に、画像は、マンガのキャラクター、アニメーション、及びグラフィックアートを含みうる。同様に、画像は、インターネット、ネットワーク又は他のシステムによって入手可能な他の源から選択されうる。
【００２３】
画像１８の入力形式は、ＢＭＰ，ＤＣＳ，ＤＩＢ，ＥＸＩＦ，ＦｌａｓｈＰｉｘ，ＩＭＰＳ，ＪＰＥＧ，ＪＰＥＧ２０００，ＰｈｏｔｏＣＤ，ＰＰＭ，ＴＩＦＦ及びＲａｗ画像フォーマットを含む。
【００２４】
画像１８は、例えばタイトルページのための背景画像、インデックスシート、及び／又は、壁紙のある壁が壁に掛かっている絵に境界を付け／枠に入れるのと同様に他の画像に境界を付け／枠に入れるものでありうる。ディジタル静止画像の入力フォーマットと同様、背景画像の入力フォーマットは、ＢＭＰ，ＤＣＳ，ＤＩＢ，ＥＸＩＦ，ＦｌａｓｈＰｉｘ，ＩＭＰＳ，ＪＰＥＧ，ＪＰＥＧ２０００，ＰｈｏｔｏＣＤ，ＰＰＭ，ＴＩＦＦ及びＲａｗ画像フォーマットを含む。
【００２５】
図１にオーディオ２０として表わすように、オーディオ素材もまた含まれうる。画像１８の場合と同様に、オーディオ２０は様々な源について選択されうる。例えば、本発明によるシステムは、例えば軽音楽、クラシック、ロック、並びに、例えば結婚式、誕生会、子供の誕生、及び卒業式に適した音楽等のテーマ毎の異なるジャンルの複数のオーディオクリップを有するオーディオデータベースを含みうる。システム１０は、例えばメモリカード、フラッシュカード、又は他の同様の装置からディジタル形式でオーディオの入力を可能とする手段を与えるよう入力ポート１６を使用しうる。このような入力ポートは、ユーザが、個人的に作った作品を与えることを可能とする。オーディオ素材は、インターネット、ネットワーク、又は他のシステムによって利用可能な他の源から選択されうる。
【００２６】
音楽に加えて、オーディオデータベースは、ボイスクリップを含みうる。例えば、有名な小説、演劇、又は映画の引用、並びに、俳優、女優、及び政治家等の有名な人物の声である。ユーザは、入力ポート１６を用いて、個人用ボイスクリップを与えうる。例えば、入力ポート１６がマイクロホンからなる場合、個人用ボイスクリップは録音されたものでありうる。この特徴は、ユーザがディジタルカメラを用いて自分たちの画像に注釈を付そうとするときに使用されうる。従って、各画像は、関連する音声ファイル（例えば．ｗａｖファイル）を含むこととなる。結果として得られるこの特徴を有するマルチメディアディジタルグラフィックアルバムは、ナレーション付きのスライドショーに似たものとなるか、そのような感じがするものとなる。
【００２７】
オーディオの入力フォーマットは、Ｗａｖｅファイル、ＭＰ３、ＭｕｓｉｃＣＤオーディオ、Ａｐｐｌｅ／ＳＧＩフォーマット（．ＡＩＦＦ，．ＡＩＦ）、Ｓｕｎオーディオ（．ＡＵ）、及びＣｒｅａｔｉｖｅ  Ｌａｂフォーマット（．ＶＯＣ）を含む。
【００２８】
ビデオ素材もまた含まれうる。ビデオは、図１中にビデオ２２として表わされる様々な源から選択されうる。例えば、本発明によるシステム１０は、ビデオデータベースを含みうる。データベースは、例えば結婚式、誕生会、子供の誕生、及び卒業式等のシーンであるテーマ毎の複数のビデオクリップから構成されうる。ビデオの入力は、入力ポート１６を用いて達成されうる。例えば、フレキシブルディスク、メモリカード、フラッシュカード、又は他の同様の装置からである。このような入力ポートは、ユーザが個人的に作ったビデオ作品を与えることを可能とする。ビデオ画像は、インターネット、ネットワーク、又は他のシステムによって利用可能な他の源から選択されうる。
【００２９】
ビデオは、動く背景として提供されえ、オーディオを伴うものであっても、伴わないものであってもよい。或いは、ビデオは複数の静止画像から構成されえ、オーディオを伴うものであっても、伴わないものであってもよい。
【００３０】
ビデオの入力フォーマットは、ＭＰＥＧ−１、ＭＰＥＧ−２、ＭＰＥＧ−４、Ｈ．２６１、Ｈ．２６２、Ｈ．２６３、ＣＣＩＲ６０１（ディジタルビデオ標準）、ＡＶＩ（ＭＳＷｉｎｄｏｗｓ（登録商標）メディアフォーマット）、Ｑｕｉｃｋｔｉｍｅ、（ディジタルビデオカムコーダからの）ＤＶ、及びリアルビデオ（Ｒｅａｌ  Ｎｅｔｗｏｒｋ）を含む。
【００３１】
システム１０はまた、注釈装置２４を含みうる。即ち、リアルタイムのテキスト注釈又は音声注釈用の装置である。注釈は、タイトルの一部として、又は、マルチメディアディジタルグラフィックアルバムの字幕として含まれうる。例えば、音声入力のために、注釈装置２４は、マイクロホンと、音声をテキストへ変換する内蔵型音声−テキストエンジンとを有しうる。このような注釈装置は、ユーザが修正を行うことを可能とするようインタフェース（例えばキーボード）を含むことが望ましい。
【００３２】
データベース（画像、オーディオ、又はビデオ用）は、ストック画像、又は個人データベースから構成される既存のデータベースでありうる。ストックデータベースは、一般的には、グラフィック素材へのアクセスのためにユーザが著作権料を支払うことを必要とし、おそらくは基本加入料が課される。
【００３３】
ＣＤ−Ｒ及びＤＶＤ−記録可能ディスク用のライタ／ジェネレータ等のメディア作成装置１７は、市販の装置である。このような装置は、家庭での使用のために購入されうる。高速な書き込み処理を可能とするため、高速ライタ（４倍速以上）が望ましい。マルチメディア作成装置１７により、例えばＶＣＤ（ビデオコンパクトディスク）、ＳＶＣＤ（スーパービデオコンパクトディスク）、又はＤＶＤ（ディジタルビデオディスク）等の様々なマルチメディア対応ディスクが作成されうる。これらのマルチメディア対応ディスクの例の夫々のためのプレーヤは、消費者オーディオビジュアル機器として入手可能である。ＶＣＤ及びＳＶＣＤはいずれもＣＤメディアを用いるのに対して、ＤＶＤはＤＶＤメディアを用いる。従って、ＶＤＣが所望であるとき、ＶＣＤ画像が作成され、最終ＶＣＤが（メディア作成装置１７を用いて）、望ましくは所定のメニューと共に焼き付けられる。同様に、ＳＶＣＤが所望であるとき、ＳＶＣＤ画像が作成され、最終ＳＶＣＤが（メディア作成装置１７を用いて）、望ましくは所定のメニューと共に焼き付けられる。同様にＤＶＤが所望であるとき、ＤＶＤ画像が作成され、最終ＳＶＣＤが（メディア作成装置１７を用いて）、望ましくは所定のメニューと共に発生される。
【００３４】
図２は、マルチメディアディスクを発生する本発明の第１の実施例による方法のフローチャートを示す。ステップ１１０において、オーサリングアプリケーションが起動される。画像がロードされ（ステップ１２０）、マルチメディア作品が生成される（ステップ１３０）。ステップ１４０において、作品が符号化される。処理・描出ソフトウエアアプリケーションが選択される（ステップ１５０）。次に、メディア作成装置１７を用いてディスクが生成される（ステップ１６０）。これらのステップについては、図３乃至図９を参照して、より具体的に説明する。
【００３５】
ステップ１１０は、システム１０上でのオーサリングアプリケーションの起動を示す。起動は、図３に示すようにグラフィックユーザインタフェース（ＧＵＩ）の基本オペレーティングシステムの初期化を含む。図３に示すように、オーサリングアプリケーションは、オーサリングアプリケーションの特徴を表わすアイコン／文字／グラフィック（以下、アイコン３２）と、画像表示領域３４とを含む画面３０を表示する。例えば、フォルダ、音楽、時間、ボイス、及びビデオである。
【００３６】
ステップ１２０は、ディジタル静止画像にアクセスすることによって達成される。望ましくは、複数のディジタル静止画像がアクセスされる。上述のように、画像は、画像データベース１８を含む種々の源からアクセスされうる。図４を参照するに、複数の画像Ｉ１−Ｉ６がアクセスされており、画像表示領域３４に表示されている。
【００３７】
ディジタルグラフィックアルバムの作品は、ステップ１３０において生成される。この生成は、作品に含まれるべき画像を選択すること、背景画像、オーディオ、ビデオ、ボイス注釈、音楽を追加すること、並びに、特定の画像の表示についての持続時間を表示することを含みうる。アイコン３２は、作品の生成の際にユーザを支援するために使用されうる。例えば、音楽アイコン（図４中、参照番号３２ａで示される）は、画像が表示されているときに音楽を含めたいことをユーザが示す手段として使用されうる。図４に示すように、音楽は、画像表示領域３４中の画像の近くに音楽記号を表示することによって各画像Ｉ１−Ｉ６に関連付けられている。
【００３８】
作品の生成については、ここに参照として組み入れられる、共通に譲渡されたルイ（Ｌｏｕｉ）外による２００１年６月２０日出願の「ＳＹＳＴＥＭ  ＡＮＤ  ＭＥＴＨＯＤ  ＦＯＲ  ＡＵＴＨＯＲＩＮＧ  Ａ  ＭＵＬＴＩＭＥＤＩＡ  ＥＮＡＢＬＥＤ  ＤＩＳＣ」なる名称の特許文献４に詳述されている。
【００３９】
ステップ１４０において、作品が生成されたとき、作品を構成する画像は単一のＭＰＥＧビットストリームを生成するよう符号化される。即ち、選択された画像を含む単一のＭＰＥＧビットストリームが発生される。
【００４０】
ステップ１５０において、画像処理・描出ソフトウエアアプリケーションが選択され、作品を構成するディジタル静止画像は、選択された画像処理・描出ソフトウエアアプリケーションに従ってＪＰＥＧ画像としてフォーマットされる。望ましい画像処理・描出ソフトウエアアプリケーションは、イーストマン・コダック社から市販されているＫｏｄａｋ  Ｐｉｃｔｕｒｅ  ＣＤである。例えば、ＡＣＤシステムス社のＡＣＤＳｅｅ等の他の画像処理・描出ソフトウエアアプリケーションが使用されうる。画面３０上のアイコンは、ソフトウエアアプリケーションを集めたものを示すのに用いられる。このステップについて、以下に詳述する。
【００４１】
ディジタル静止画像のフォーマット及び単一のＭＰＥＧビットストリームの生成の後、マルチメディアディスクが生成されうる（ステップ１６０）。特に、画像処理・描出ソフトウエアアプリケーション、ＭＰＥＧビットストリーム、並びに、フォーマットされたＪＰＥＧ画像を有するファイル構造を定義する記述ファイルが作成される。この記述ファイルは、マルチメディアディスクのディスク画像を生成するよう解釈される。このステップについて、以下に詳述する。画面３０上のアイコンは、ステップ１６０を作動／開始するよう選択されうる。
【００４２】
上述のように、ステップ１５０において、画像処理・描出ソフトウエアアプリケーションが選択され、作品を構成するディジタル静止画像は、選択された画像処理・描出ソフトウエアアプリケーションに従ってフォーマットされる。ステップ１５０について、以下、図５を参照して詳述する。
【００４３】
ステップ１５１において、作品を構成するディジタル静止画像がアクセスされる。作品を生成するとき、特定のディジタル静止画像が多数回使用されうる。従って、ディジタル静止画像は重複していることがある。ステップ１５２において、所望であれば、この重複について有無を判断することができる。重複があった場合、重複は除去されうる。ステップ１５３において、各ディジタル静止画像の特徴は変更されうる。これらの変更は、オーディオ（例えば音楽）、テキスト注釈、音声注釈、及びグラフィックを含む。例えば、テキスト或いは音声の注釈が画像に追加されるか画像から削除されえ、又は、テキスト或いは音声の注釈が修正されえ、これはフォント、サイズ、色、音量等を含む。更なる例では、音楽クリップは、１つ又はそれ以上のディジタル静止画像と関連付けられてもよく、この関連付けを除去／変更することが所望でありうる。或いは、音楽クリップは、特定のディジタル静止画像と関連付けられていなくともよく、この関連を追加することが所望であり得る。
【００４４】
ディジタル静止画像がユーザによって望まれる形となると、システム１０は、選択された画像処理・描出ソフトウエアアプリケーションを用いてディジタル静止画像をＪＰＥＧ画像としてフォーマットする（ステップ１５４）。即ち、画像は、描出ソフトウエアアプリケーションと一貫するよう変換される。そしてＸＭＬファイル構造が作成される（ステップ１５５）。
【００４５】
上述したように、ステップ１６０において、マルチメディアディスクが生成される。このステップについて、以下、図６を参照して詳述する。ステップ１６１において、ＸＭＬファイル（即ち、記述ファイル）が解釈され、構造は、ディスク画像を生成するよう復号化される。ステップ１６１において生成されるディスク画像は、ディスク画像を記述する異なるフォーマットでありうる。例えば、ｂｉｎ／ｃｕｅファイル又はＩＳＯ画像ファイルである。そして、ステップ１６２において、マルチメディアディスクは（メディア作成装置１７を用いて）ディスク画像を用いて書き込まれる。
【００４６】
書き込まれると、画像処理・描出ソフトウエアアプリケーションは、コンピュータ上で動作可能であり、ＪＰＥＧ画像は、画像処理・描出ソフトウエアアプリケーションを用いてみることができる。
【００４７】
マルチメディア対応ディスクは、望ましくは、パーソナルコンピュータ上で見られ操作されうると共に、ＶｉｄｅｏＣＤ（ＶＣＤ）、ＳｕｐｅｒＶｉｄｅｏＣＤ（ＳＶＣＤ）、又はＤＶＤとして使用されうるよう、通常のコンパクトディスクとして構成されることが望ましい。従って、ＶＣＤでは、ＭＰＥＧビットストリームに含まれるディジタル静止画像がＪＰＥＧファイルとしてもアクセスされえ、これらがパーソナルコンピュータ上で見られ操作されうるよう、標準コンパクトディスクの場合のように、高解像度画像を有する通常のＣＤ−ＲＯＭファイル及び他のソフトウエアアプリケーション（例えばＫｏｄａｋＰｉｃｔｕｒｅＣＤで与えられる）が含まれる。
【００４８】
ディジタル画像ファイルとして符号化されたディジタル画像は、図７中にＶＣＤディスク構造として示されるディスク構造のトラック１に書き込まれる。ディスク標準に従って、トラック１は、ディスク情報領域、ＩＳＯ９６６０（ＣＤ−ＲＯＭ）ファイル構造、並びに、Ｓｅｇｍｅｎｔ  Ｐｌａｙ  Ｉｔｅｍ領域等の他のオプションを含む。トラック１に記録された情報を、図８中により詳細に示す。
【００４９】
ディジタル静止画像の符号化は、ディジタル画像ファイルが、パーソナルコンピュータ等の様々な消費者機器によって、また、画像編集ソフトウエアアプリケーションによって使用されることを可能とする。図９は、ディジタル画像ファイル（即ちＪＰＥＧディジタル画像ファイル）及び／又はソフトウエアアプリケーションが、どのようにしてＶＣＤのために格納されるかを示す。ＶＣＤのルートディレクトリ構造が示される。このディレクトリは、ＫｏｄａｋＰｉｃｔｕｒｅＣＤ互換ディレクトリ構造を与える。ディジタル画像ファイルは、図９に示す「ピクチャ」ディレクトリに格納される。例えば、これらのディジタル画像ファイルを見るため及び編集するための他のソフトウエアアプリケーションが、例えば「Ｃｏｏｌｓｔｕｆ」ディレクトリ又は他のピクチャＣＤディレクトリに格納されうる。結果として、マルチメディアディジタルグラフィックアルバム用のＭＰＥＧビットストリームに含まれるディジタル静止画像はＰｉｃｔｕｒｅＣＤ互換ＪＰＥＧ画像ファイルとしても別に格納されているため、マルチメディア対応ディスクはＫｏｄａｋＰｉｃｔｕｒｅＣＤ互換ディスクを与える。
【００５０】
図１０は、マルチメディアディスクを発生する本発明の第２の実施例による方法を示すフローチャートである。この第２の実施例では、マルチメディアディスク上への記憶用の多数のグラフィックアルバムが生成される。
【００５１】
ステップ１１０において、オーサリングアプリケーションが起動される。画像がロードされ（ステップ１２０）、マルチメディア作品が生成される（ステップ１３０）。ステップ１４０において、作品が符号化される。多数のグラフィックアルバムが生成されるため、ステップ１２０、１３０、及び１４０は各アルバムに対して繰り返される。処理・描出ソフトウエアアプリケーションが選択される（ステップ１５０）。次に、マルチメディア作成装置１７を用いてディスクが発生される（ステップ１６０）。更に、各グラフィックアルバム用の画像位置情報が符号化される（ステップ１７０）。これらのステップについて、図１０乃至図１３を参照して詳述する。
【００５２】
第１の実施例と同様に、複数のディジタル静止画像がアクセスされる（ステップ１２０）。第１のグラフィックアルバムは、第１の複数のディジタル静止画像から作られ（ステップ１３０）、第１の複数のディジタル静止画像を含む対応する第１のＭＰＥＧビットストリームが生成される（ステップ１４０）。第１の画像位置は、第１のＭＰＥＧビットストリームと関連付けられる（ステップ１７０）。次に、第２のグラフィックアルバムを作ることを予想して同じ／更なるディジタル静止画像がアクセスされる（ステップ１２０）。第２のグラフィックアルバムは、第２の複数のディジタル静止画像から作られ（ステップ１３０）、第２の複数のディジタル静止画像を含む対応する第２のＭＰＥＧビットストリームが発生される（ステップ１４０）。第２の画像位置は、第２のＭＰＥＧビットストリームと関連付けられる（ステップ１７０）。
【００５３】
ステップ１５０において、ユーザがアルバム作成オプションを選択するための選択手段が提供される。これは、埋め込まれた画像処理・描出ソフトウエアアプリケーションのアルバムオプションを選択することによりシステム１０によって達成される。望ましくは、このソフトウエアアプリケーションはＫｏｄａｋＰｉｃｔｕｒｅＣＤであり、従って、多数のグラフィックアルバムに対して、図１１及び図１２に示すような「選択」オプションが選択される。以下、ステップ１５０について、この第２の実施例に対する図１３を参照して説明する。
【００５４】
ステップ１５１乃至１５５は、各アルバムに対して繰り返される。従って、ステップ１５１において、作品を構成するディジタル静止画像は画像位置情報を復号化することによってアクセスされる。即ち、第１のＭＰＥＧビットストリームに関連付けられる第１の画像位置は、第１の複数のディジタル静止画像にアクセスするためにアクセスされる。ステップ１５２において、任意の重複判定が行われる。ステップ１５３において、各ディジタル静止画像の特徴が変更されうる。ディジタル静止画像がユーザによって望まれる形となると、システム１０は、選択された画像処理・描出ソフトウエアアプリケーションに従ってディジタル静止画像をＪＰＥＧ画像としてフォーマットする（ステップ１５４）。そしてＸＭＬファイル構造が作成される（ステップ１５５）。
【００５５】
ステップ１５１乃至１５５は、第２のグラフィックアルバムに対して繰り返される。従って、第２のグラフィックアルバムについては、第２のＭＰＥＧビットストリームに関連付けられる第２の画像位置は、第２の複数のディジタル静止画像にアクセスするためにアクセスされる（ステップ１５１）。ステップ１５２において、任意の重複決定がなされる。ステップ１５３において、各ディジタル静止画像の特徴が変更されうる。ディジタル静止画像がユーザによって望まれる形となると、システム１０は、選択された画像処理・描出ソフトウエアアプリケーションに従ってディジタル静止画像をＪＰＥＧ画像としてフォーマットする（ステップ１５４）。そしてＸＭＬファイル構造が作成される（ステップ１５５）。
【００５６】
従って、ステップ１５４では、第１及び第２の複数のディジタル静止画像は、第１及び第２のＪＰＥＧ画像を作成するよう、画像処理・描出ソフトウエアアプリケーションに従ってフォーマットされる。
【００５７】
ステップ１５５において、第１及び第２のＭＰＥＧビットストリーム、第１及び第２のＪＰＥＧ画像、並びに、画像処理・描出ソフトウエアアプリケーションを含むファイル構造を定義する記述ファイル（即ちＸＭＬファイル）が作成される。この実施例では、多数のアルバムが存在するため、記述ファイルはアルバム記述セクション（即ち、以下に詳述するようなａｌｂｕｍ．ｘｍｌ）を含む。
【００５８】
上述したように、ステップ１６０において、図６を参照して説明したように、マルチメディアディスクが生成される。ステップ１６１において、ディスク画像を生成するよう、ＸＭＬファイル（即ち記述ファイル）が解釈され構造が復号化される。次に、ステップ１６２において、マルチメディアディスクがディスク画像を用いて（メディア作成装置１７を用いて）書き込まれる。
【００５９】
画像位置情報は、幾つかの方法を用いて維持され／ビットストリームと関連付けられ得る。第１の方法では、画像位置は、テキストファイルに格納される。より具体的には、画像ファイルのフルパスを有するテキストファイルが各ＭＰＥＧビットストリームに対して作成され、夫々のＭＰＥＧストリームが格納されるのと同じディレクトリに配置される。
【００６０】
第２の方法では、画像位置はＭＰＥＧビットストリームに埋め込まれる。より具体的には、画像ファイルのフルパス名が夫々のＭＰＥＧストリーム中に埋め込まれる。この方法の利点は、ＭＰＥＧビットストリームが動かされたときに、画像ファイルの関連づけが維持されることである。これは、ＭＰＥＧ−１標準（ＩＳＯ／ＩＥＣ１１１７２−２）のユーザデータフィールドによって達成されうる。特に、ＭＰＥＧ−１では、ユーザ指定のデータは、ＭＰＥＧビデオストリームのｓｅｑｕｅｎｃｅ＿ｈｅａｄｅｒ（）中のｕｓｅｒ＿ｄａｔａ＿ｓｔａｒｔ＿ｃｏｄｅを介して圧縮ＭＰＥＧビットストリームに挿入されうる。以下に、ｓｅｑｕｅｎｃｅ＿ｈｅａｄｅｒ（）中のユーザデータを用いた構文を示す。
【００６１】
【数１】
2004297804.tif 000003
ｕｓｅｒ＿ｄａｔａ＿ｓｔａｒｔ＿ｃｏｄｅは、１６進数のビットストリング０００００１Ｂ２である。これは、ユーザデータの始まりを識別する。ユーザデータは、他の開始コードの受信まで続く。ＭＰＥＧ標準によれば、ユーザデータは、２３個以上のゼロビットを含まないものとする。
【００６２】
尚、本発明の例としての実施では、システム１０のオーサリング特徴の一部として、ＫｏｄａｋＰｉｃｔｕｒｅＣＤ／ＰｉｃｔｕｒｅＣＤ  Ｓｅｌｅｃｔ互換ＶｉｄｅｏＣＤが作成される。この特徴は、ＤＶＤプレーヤだけでなくＰＣでも使用されうる単一のディスクを作成することを可能とする。ＶｉｄｅｏＣＤ標準と互換性のあるＤＶＤプレーヤに挿入されたときは、コンボディスクはビデオＣＤとして再生される。ＰＣのＣＤ−ＲＯＭドライブに挿入されたときは、ＫｏｄａｋＰｉｃｔｕｒｅＣＤアプリケーションを起動し、ユーザが元の画像を見て操作することを可能とする。このオーサリング特徴は、システムのオーサリングアプリケーションのユーザ用ワークスペースに表示される画像と、ＭＰＥＧストリーム中に以前に保存された画像とを用いてＰｉｃｔｕｒｅＣＤアプリケーションを自動的に作成する。この例としての実施では、ＰｉｃｔｕｒｅＣＤフォルダは、次のファイル及びフォルダ、即ち、Ｃｏｏｌｓｔｕｆ（フォルダ）、Ｋｏｄａｋｐｃｄ（フォルダ），Ｐｃｄ（フォルダ）、Ａｌｂｕｍｓ（フォルダ）、Ａｌｂｕｍ．ｄｔｄ，Ａｌｂｕｍ．ｘｍｌ，Ａｕｔｏｒｕｎ．ｉｎｆ，Ｃｏｎｔｅｎｔ．ｄａｔ，Ｉｎｆｏ．ｃｄ，Ｌａｕｎｃｈ．ｅｘｅ，ｅａｄｍｅ．ｗｒｉ，Ｓｔａｒｔｍａｃ，ＰｃｄＰｒｅＬａｕｎｃｈ．ｅｘｅといったものを含み、これらの一部は図９に示されている。
【００６３】
この例としての実施では、システム１０は、ユーザ画像を格納するために、Ｐｉｃｔｕｒｅｓと称されるフォルダを作成する。アプリケーションは、望ましくは、ＰｉｃｔｕｒｅＣＤアプリケーションに含まれるべき画像ファイル名を識別するために、ワークスペース領域だけでなく、ＭＰＥＧストリームを調べる。これらの画像の元のバージョンは、ＪＰＥＧフォーマット以外のフォーマットである場合は、ＪＰＥＧフォーマットへ変換される。当業者に知られている様々な画像の変換は、標準ＰｉｃｕｒｅＣＤと同様の画質係数を用いた変換を行うのに使用されうる。更に、ＰｉｃｔｕｒｅＣＤアプリケーションに１つだけの画像が含まれるよう、ワークスペース領域中の重複画像について調べられる。
【００６４】
システム１０は、ディスク上の画像の数と一意の順序ＩＤとを有するｉｎｆｏ．ｃｄファイルを作成する。
【００６５】
システム１０は更に、ＰｉｃｔｕｒｅＣＤ選択ディスクのアルバム機能を記述するためにａｌｂｕｍ．ｄｔｄ及びａｌｂｕｍ．ｘｍｌファイルを作成する。以下のスクリプト例は、３つの画像を有する１つのアルバムを記述するＸＭＬを含む。
【００６６】
【数２】
2004297804.tif 000004
上述のように、ステップ１５３において、ディジタル静止画像は、注釈のために変更されうる。画像位置情報と同様に、注釈は、テキストファイル中に格納されるか、ＭＰＥＧビットストリーム中に埋め込まれうる。ユーザによって画像に挿入されたテキスト注釈は、ＰｉｃｔｕｒｅＣＤ／ＰｉｃｔｕｒｅＣＤＳｅｌｅｃｔアプリケーションを作成するときに同じ画像へ引き継ぐことができる。ユーザは、ＰｉｃｔｕｒｅＣＤを作成するときに、このような注釈を含めるよう、プロンプトが出される。これらのテキスト注釈は、（ａ）対応するＭＰＥＧストリームと同じディレクトリ中に配置される注釈情報（例えば、フォントサイズ、色、及び位置）を含むテキストファイル、又は、（ｂ）（フォントサイズ、色、及び位置といった）注釈情報がＭＰＥＧ−１標準で記述されたユーザデータ領域によって対応するＭＰＥＧビットストリームへ埋め込まれることにより、維持され個々のピクチャに関連付けられ得る。ＰｉｃｔｕｒｅＣＤオプションが選択されているときに画像がワークスペース中にある状況では、ユーザは、注釈がＰｉｃｔｕｒｅＣＤアプリケーションへ持ち越されることを望むかどうかについて、プロンプトが出される。そうである場合は、アプリケーションは、ＰｉｃｔｕｒｅＣＤ／ＰｉｃｔｕｒｅＣＤＳｅｌｅｃｔへ含めるよう注釈をピクチャと共に自動的に引き継ぐ。
【００６７】
ユーザＪＰＥＧファイルをマルチメディアディスクに含めるため、システム１０は、図１４に示すスクリプトを含む例としてのＸＭＬファイルを作成する。この例としてのＸＭＬスクリプトは、マルチメディアディスクと同じ位置とされるＰｉｃｔｕｒｅＣＤアプリケーションへ含められるべき３つのＪＰＥＧファイルに対する情報を含む。更に、このＸＭＬファイルは、最終ディスクの画像を含むｂｉｎ／ｃｕｅファイルを作成するよう他のアプリケーションによって解釈される。ｂｉｎ／ｃｕｅファイルは、次に、同じ場所に配置されたＰｉｃｔｕｒｅＣＤアプリケーションと共に最終マルチメディアディスクを作成するよう、ＣＤ書き込みアプリケーション（ＣＤＲＷＩＮ等）によって使用される。（ステップ１６１及び１６２参照）。
【００６８】
第３の実施例では、画像処理・描出ソフトウエアアプリケーションは、マルチメディアディスクには含まれない。この実施例では、マルチメディアディスクを生成する方法は、複数のディジタル静止画像にアクセスする段階と、複数のディジタル静止画像のうちの少なくとも１つを含む単一のＭＰＥＧビットストリームを生成する段階と、複数のディジタル静止画像のうちの少なくとも１つにアクセスする段階と、ＭＰＥＧビットストリーム及び複数のディジタル静止画像のうちの少なくとも１つを含むファイル構造を定義する記述ファイルを作成する段階と、マルチメディアディスクのディスク画像を生成するよう記述ファイルを解釈する段階と、ディスク画像を用いてマルチメディアディスクを生成する段階とを含む。
【００６９】
コンピュータプログラムプロダクトは、本発明による方法を行うために１つ又はそれ以上のコンピュータを制御する命令を有するコンピュータプログラムを格納するのに用いられる、１つ又はそれ以上の記憶媒体、例えば、磁気ディスク（例えばフレキシブルディスク）又は磁気テープ等の磁気記憶媒体、光ディスク、光テープ、又は機械読み取り可能なバーコード等の光記憶媒体、ランダムアクセスメモリ（ＲＡＭ）又は読み出し専用メモリ（ＲＯＭ）等の固体電子記憶装置、又は任意の他の物理的装置又は媒体、を含みうる。
【図面の簡単な説明】
【００７０】
【図１】本発明による方法を実行するのに適したシステムを示す図である。
【図２】マルチメディアディスクを生成する本発明の第１の実施例による方法を示すフローチャートである。
【図３】図２の方法に対する典型的な画面を示す図である。
【図４】複数のディジタル静止画像を示す図３の典型的な画面を示す図である。
【図５】図２に示す方法の１つの段階を示すフローチャートである。
【図６】図２に示す方法の他の段階を示すフローチャートである。
【図７】ディスク構造を示す図である。
【図８】図７のディスク構造のトラックを示す図である。
【図９】ピクチャＣＤ互換ディレクトリ構造を与える記憶部を示す図である。
【図１０】マルチメディアディスクを生成する本発明の第２の実施例による方法を示すフローチャートである。
【図１１】図１０の方法に対する典型的な画面を示す図である。
【図１２】複数のディジタル静止画像及びソフトウエアアプリケーションの選択を示す図３の典型的な画面を示す図である。
【図１３】図１０に示す方法の１つの段階を示すフローチャートである。
【図１４】ＪＰＥＧファイルをマルチメディアディスクに入れるためのＸＭＬファイルのスクリプトを示す図である。
【符号の説明】
【００７１】
１０  システム
１１  処理ユニット
１２  入力装置
１３  ネットワーク
１４  キーボード
１５  インターネット
１６  入力ポート
１７  メディア作成装置
１８  画像；データベース
１９  システム
２０  オーディオ；データベース
２２  ビデオ；データベース
２４  注釈装置
３０  画面
３２  アイコン
３２ａ  音楽アイコン
３４  画像表示領域
Ｉ１−Ｉ１６  複数の画像
【図１】
2004297804.tif 000005
【図２】
2004297804.tif 000006
【図３】
2004297804.tif 000007
【図４】
2004297804.tif 000008
【図５】
2004297804.tif 000009
【図６】
2004297804.tif 000010
【図７】
2004297804.tif 000011
【図８】
2004297804.tif 000012
【図９】
2004297804.tif 000013
【図１０】
2004297804.tif 000014
【図１１】
2004297804.tif 000015
【図１２】
2004297804.tif 000016
【図１３】
2004297804.tif 000017
【図１４】
2004297804.tif 000018